(57)【要約】【課題】売上データ処理装置と、この売上データ処理装置に対して送受信するデータとの対応を容易に判定する。【解決手段】レジツールプログラムは、無線通信路を介して電子キャッシュレジスタ３と通信する通信手段、電子キャッシュレジスタ３がレシートに印字する店名スタンプを通信手段によって受信したレジ設定データバックアップから取得し、この店名スタンプをタッチパネルディスプレイに表示させる表示制御手段としてスマートフォン２を機能させる。【選択図】図１
2020080171.tif 000002
【特許請求の範囲】
【請求項１】
管理端末のコンピュータを、
無線通信路を介して売上データ処理装置と通信する通信手段、
店舗の選択を受け付ける受付手段、
前記受付手段により選択を受け付けた前記店舗に設置された売上データ処理装置がレシートに印字する店舗識別画像と、選択された前記売上データ処理装置に格納されている機種情報と、を前記通信手段によって取得する情報取得手段、
前記店舗識別画像を、前記売上データ処理装置を示す機器画像と共に表示部に表示させる表示制御手段、
として機能させ、
前記表示制御手段は、前記情報取得手段によって取得された前記機種情報に基づいて、前記機器画像を前記表示部に表示させる、
ことを特徴とするプログラム。
【請求項２】
管理端末のコンピュータを、
無線通信路を介して売上データ処理装置と通信する通信手段、
店舗の選択を受け付ける受付手段、
前記受付手段により選択を受け付けた前記店舗に設置された売上データ処理装置がレシートに印字する店舗識別画像を前記通信手段によって取得し、前記店舗識別画像を、前記売上データ処理装置を示す機器画像と共に表示部に表示させる表示制御手段、
として機能させ、
前記受付手段は更に、売上データ処理装置の切り替え選択を受け付け、
前記表示制御手段は、前記受付手段によって切り替え選択が受け付けられ、切り替え選択後の売上データ処理装置の機種が、切り替え選択前の売上データ処理装置と異なる機種であったならば、前記機器画像を切り替えて前記表示部に表示させる、
ことを特徴とするプログラム。
【請求項３】
管理端末のコンピュータを、
無線通信路を介して売上データ処理装置と通信する通信手段、
店舗の選択を受け付ける受付手段、
前記受付手段により選択を受け付けた前記店舗に設置された売上データ処理装置がレシートに印字する店舗識別画像を前記通信手段によって取得し、前記店舗識別画像を、前記売上データ処理装置を示す機器画像と共に表示部に表示させる表示制御手段、
として機能させ、
前記表示制御手段は、前記売上データ処理装置との一連のデータ通信を含むタスクの実行中に、前記店舗識別画像または前記機器画像を前記表示部に表示させる、
ことを特徴とするプログラム。
【請求項４】
前記タスクは、バックアップ処理またはリストア処理または精算処理または点検処理である、
ことを特徴とする請求項３に記載のプログラム。
【請求項５】
無線通信路を介して売上データ処理装置と通信する通信手段と、
店舗の選択を受け付ける受付手段と、
前記受付手段により選択を受け付けた前記店舗に設置された売上データ処理装置がレシートに印字する店舗識別画像と、選択された前記売上データ処理装置に格納されている機種情報と、を前記通信手段によって取得する情報取得手段と、
前記店舗識別画像を、前記売上データ処理装置を示す機器画像と共に表示部に表示させる表示制御手段と、
を備え、
前記表示制御手段は、前記情報取得手段によって取得された前記機種情報に基づいて、前記機器画像を前記表示部に表示させる、
ことを特徴とする管理端末。
【請求項６】
携帯端末が、
無線通信路を介して売上データ処理装置と通信し、
店舗の選択を受け付け、
選択を受け付けた前記店舗に設置された売上データ処理装置がレシートに印字する店舗識別画像と、選択された前記売上データ処理装置に格納されている機種情報と、を前記無線通信路を介して取得し、
前記売上データ処理装置を示す機器画像を、前記店舗識別画像と共に表示部に表示させる際に、前記機種情報に基づいて、前記機器画像を前記表示部に表示させる、
ことを特徴とする売上データ処理装置の管理方法。
【発明の詳細な説明】
【技術分野】
【０００１】
本発明は、プログラム、管理端末、および、売上データ処理装置の管理方法に関する。
【背景技術】
【０００２】
近年、スマートフォンと電子キャッシュレジスタとを通信可能に接続して、電子キャッシュレジスタ内のデータをバックアップまたはリストアする技術が提案されている。電子キャッシュレジスタのハードウェア故障の際には、他の個体に交換してバックアップデータをリストアする。そのため、バックアップデータは、どの電子キャッシュレジスタの個体にもリストアできるように構成されている。
【０００３】
レジ代理店のカスタマエンジニアは、複数店舗で複数種類の電子キャッシュレジスタを保守している。カスタマエンジニアが、スマートフォン内のレジ設定データのバックアップを電子キャッシュレジスタにリストアする場合、送信するバックアップデータを間違える恐れがあった。
【０００４】
特許文献１には、通信相手を容易に認識するために画像表示する先行技術が記載されている。特許文献１の要約書には、「電話帳データ記憶エリア６０ａは、電話帳データとして、通信相手の名称と、電話番号と、電子メールアドレスと対応づけて記憶する他に、着信時やメールの受信時の報知動作に用いる画像データの識別情報と、着信音や着信メロディの識別情報と、背景色の識別情報と、振動体５３の振動パターンの識別情報を対応づけて記憶する。画像データ記憶エリア６０ｂは、画像データをそれぞれ識別情報に対応づけて記憶する。着信音データ記憶エリア６０ｃは、複数の着信音や着信メロディのデータを記憶する。制御部１００は、着信時や電子メールの受信時に、電話帳データ記憶エリア６０ａに記憶される電話帳データに基づいて複数の画像を表示部７１に表示して報知動作を行うようにしたものである。」と記載されている。
【先行技術文献】
【特許文献】
【０００５】
【特許文献１】特開２００２−１７６６７９号公報
【発明の概要】
【発明が解決しようとする課題】
【０００６】
特許文献１に記載されている発明は、機器の画像を表示することにより通信相手を識別するものである。しかし、同一法人の店舗では、同一の機種番号の電子キャッシュレジスタ（売上データ処理装置）を採用していることが多いため、機器の画像だけでは通信先を特定することはできない。更に、単に通信相手の機器の画像を表示するだけでは、スマートフォン内のレジ設定バックアップデータと通信相手の電子キャッシュレジスタとの対応を判定することはできず、レジ設定バックアップデータのリストア先を間違えるおそれがあった。また、電子キャッシュレジスタのレジ設定データ等をバックアップする際に、店舗やレジ番号を取り違えるおそれがあった。
【０００７】
そこで、本発明は、売上データ処理装置と、この売上データ処理装置に対して送受信するデータとの対応を容易に判定可能とすることを課題とする。
【課題を解決するための手段】
【０００８】
本発明は、上記目的を達成するため、
管理端末のコンピュータを、
無線通信路を介して売上データ処理装置と通信する通信手段、
店舗の選択を受け付ける受付手段、
前記受付手段により選択を受け付けた前記店舗に設置された売上データ処理装置がレシートに印字する店舗識別画像と、選択された前記売上データ処理装置に格納されている機種情報と、を前記通信手段によって取得する情報取得手段、
前記店舗識別画像を、前記売上データ処理装置を示す機器画像と共に表示部に表示させる表示制御手段、
として機能させ、
前記表示制御手段は、前記情報取得手段によって取得された前記機種情報に基づいて、前記機器画像を前記表示部に表示させる、
ことを特徴とするプログラムである。
【発明の効果】
【０００９】
本発明によれば、売上データ処理装置と、この売上データ処理装置に対して送受信するデータとの対応を容易に判定可能である。
【図面の簡単な説明】
【００１０】
【図１】本実施形態のシステムを示す図である。
【図２】電子キャッシュレジスタの外観図である。
【図３】モードスイッチを示す図である。
【図４】電子キャッシュレジスタの構成図である。
【図５】スマートフォンの構成図である。
【図６】システムの各装置が有するプログラムとデータを示す図である。
【図７】レジ属性データの構造を示す図である。
【図８】レジ設定データの構造を示す図である。
【図９】電子キャッシュレジスタが印刷したレシート例である。
【図１０】スマートフォンのパスコード入力画面である。
【図１１】初期状態の店舗選択画面である。
【図１２】店舗の選択後の店舗選択画面である。
【図１３】店名スタンプとレシートメッセージと機器画像と機種名の表示処理を示すフローチャートである。
【図１４】メニュー画面である。
【図１５】レジ設定バックアップ画面である。
【図１６】電子キャッシュレジスタの操作画面である。
【図１７】電子キャッシュレジスタの無線通信中の表示画面である。
【図１８】レジ設定バックアップが正常終了したときの印字である。
【図１９】レジ設定データがバックアップされていなかったときのレジ設定バックアップ画面である。
【図２０】レジ設定データのバックアップ動作を示すシーケンス図である。
【図２１】レジ設定リストア画面である。
【図２２】レジ設定リストアが正常終了したときの印字である。
【図２３】レジ設定データがバックアップされていなかったときのレジ設定リストア画面である。
【図２４】レジ設定データのリストア動作を示すシーケンス図である。
【図２５】レジ精算画面である。
【図２６】精算データ受信中ビューである。
【図２７】精算データ消去中ビューである。
【図２８】正常終了ビューである。
【図２９】レジ精算受信済み画面である。
【図３０】精算処理が正常終了したときの印字である。
【図３１】レジ精算動作を示すシーケンス図である。
【図３２】レジ精算をクラウドにアップロードする動作を示すシーケンス図である。
【図３３】変形例における初期状態の店舗選択画面である。
【図３４】レジ認識後の店舗選択画面である。
【図３５】レジ認識動作を示すシーケンス図である。
【発明を実施するための形態】
【００１１】
以降、本発明を実施するための形態を、各図を参照して詳細に説明する。
本実施形態は、近距離無線通信手段によって、スマートフォン（携帯端末）からレジに向けて、レジ設定のバックアップやレジ精算を行わせて、データをバックアップまたはリストアするレジツールアプリである。レジツールアプリは、レシートに印字される店名スタンプ（店舗識別画像）を画面表示する。この店名スタンプは、スマートフォンにバックアップされたデータから取得される。
【００１２】
図１は、本実施形態のシステムを示す図である。
システムＳは、サーバ装置１とスマートフォン２が通信ネットワークＮを介して接続されている。システムＳは更に、このスマートフォン２と電子キャッシュレジスタ３とが無線ネットワークＷを介して相互に通信可能に接続されて構成される。本実施形態の電子キャッシュレジスタ３は、レジ属性データやレジ設定データや売上データをスマートフォン２にバックアップしたり、リストアする売上データ処理装置である。スマートフォン２は、この電子キャッシュレジスタ３にバックアップ、リストア、精算、点検などを行わせる管理端末である。
【００１３】
図２は、電子キャッシュレジスタ３の外観図である。
電子キャッシュレジスタ３は、ドロア３７の上に筐体が配置されて構成される。なお、ドロア３７は、電子キャッシュレジスタ３の筐体と分離して配置可能である。
この筐体の手前側にはキーボード３８が配置され、左奥側には印刷部３６、右奥側には表示部３４、モードスイッチ３８１、客用表示部３５が配置されている。なお、印刷部３６は、ロールペーパ（レシート用紙）３６２に印刷する。
電子キャッシュレジスタ３のオペレータは、キーボード３８を介して商品の単価と部門とを入力し、小計を表示させたのちに預り金を入力することで、商品を登録することができる。この商品の登録時に、電子キャッシュレジスタ３は、ドロア３７を引き出して、預り金を入金させる。
【００１４】
図３は、モードスイッチ３８１を示す図である。
モードスイッチ３８１は、付属のモード鍵が差し込まれることで、この電子キャッシュレジスタ３の動作モードを切り替える。電子キャッシュレジスタ３の動作モードには、精算、点検、電卓、登録、ＯＦＦ、戻、設定がある。
「精算」は、この電子キャッシュレジスタ３によって売上の精算を行うときのモードである。「点検」は、この電子キャッシュレジスタ３によって売上の点検を行うときのモードである。「電卓」は、この電子キャッシュレジスタ３を電卓として使用するときのモードである。「登録」は、この電子キャッシュレジスタ３によって売上の登録を行うときのモードである。「ＯＦＦ」は、この電子キャッシュレジスタ３の電源を切るモードである。「戻」は、この電子キャッシュレジスタ３によって返品処理（戻し）を行うときのモードである。「設定」は、この電子キャッシュレジスタ３に対して、店舗に合わせたいろいろな設定を行うときのモードである。
【００１５】
図４は、電子キャッシュレジスタ３の構成図である。
電子キャッシュレジスタ３は、ＣＰＵ（Central Processing Unit）３１、ＲＡＭ（Random Access Memory）３２、ＲＯＭ（Read Only Memory）３３１、フラッシュメモリ３３２、カードリーダ３３３を備える。電子キャッシュレジスタ３は更に、表示部３４、客用表示部３５、印刷部３６、ドロア３７、キーボード３８、モードスイッチ３８１、近距離通信部３９１、長距離通信部３９２を含んで構成されている。この電子キャッシュレジスタ３は、売上データを処理する売上データ処理装置である。
【００１６】
ＣＰＵ３１は、ＲＯＭ３３１やフラッシュメモリ３３２などに記憶されている電子キャッシュレジスタ３に対応する各種アプリケーションプログラムの中から指定されたアプリケーションプログラムと、キーボード３８から入力される各種指示とをＲＡＭ３２内のワークメモリに展開する。ＣＰＵ３１は更に、この入力指示および入力データに応じてワークメモリに展開したアプリケーションプログラムに従って各種処理を実行し、その処理結果をＲＡＭ３２内のワークメモリに格納すると共に、表示部３４に表示する。そしてＣＰＵ３１は、ワークメモリに格納した処理結果をＲＡＭ３２内の保存先に保存する。
ＣＰＵ３１は、売上データを印刷部３６に印刷させる印刷制御手段として機能する。ＣＰＵ３１は、モードスイッチ３８１によって精算モードまたは点検モードが指定された際に、これを売上データの印刷指示として受け付ける入力制御手段として機能する。
【００１７】
フラッシュメモリ３３２は磁気的、光学的記憶媒体、または半導体メモリなどの書換え可能な記憶媒体で構成されている。このフラッシュメモリ３３２は、システムプログラムおよび、このシステムに対応する各種アプリケーションプログラム、これらプログラムによって処理されたデータ等を記憶する。
【００１８】
カードリーダ３３３は、メモリカード４が挿抜可能であり、挿入されているメモリカード４との間で所望のファイルを読み書き可能である。カードリーダ３３３は、売上データをメモリカード４（外部記憶媒体）に記憶させる記憶制御手段である。
【００１９】
本実施形態の表示部３４と客用表示部３５は、７セグメントの液晶表示素子または発光素子等により構成され、数字や簡易的なアルファベット表示に対応している。電子キャッシュレジスタ３は、ＣＰＵ３１から入力される表示データに基づく信号を生成して、表示部３４と客用表示部３５に各種表示を行う。
【００２０】
印刷部３６は、例えば熱転写プリンタであり、ＣＰＵ３１の指示により、レシート情報をロールペーパ（レシート用紙）３６２に印字して出力する。この印刷部３６は更に、ＣＰＵ３１の印刷指示により、レシート用紙に精算レポートや点検レポートを印字する。
ドロア３７は、硬貨や紙幣などの現金を収納する部位であり、オペレータが電子キャッシュレジスタ３を操作することにより解錠と施錠が行われ、現金を引き出したり、現金を収納することができる。
【００２１】
キーボード３８は、部門キー、現／預キー、クリアキー等を含む各種機能キーおよび数字入力キー等を備え、各キーで押下された押下信号をＣＰＵ３１に出力する。
なお、キーボード３８に限らず、入力指示ができるものであればどのようなものでもよい。キーボード３８の代わりに、タッチパネル（タッチスクリーン）のように入力ペンや指先等により指示された座標を感知し、電磁誘電方式、磁気歪式、感圧式等の座標読み取り原理で指示された位置座標を検出するようにしてもよい。
モードスイッチ３８１は、電子キャッシュレジスタ３の動作モードを決定するスイッチである。
【００２２】
近距離通信部３９１は、例えばBluetooth（登録商標） Low EnergyやWi-Fi（登録商標）による通信手段であり、スマートフォン２（外部装置の一例）と相互に通信可能である。近距離通信部３９１は、無線通信路を介して売上データをスマートフォン２に送信する通信手段として機能する。
長距離通信部３９２は、例えばＬＴＥ（Long Term Evolution）によって、長距離の無線通信を行う通信手段である。この長距離通信部３９２によってスマートフォン２と通信することにより、カスタマエンジニアは店舗に出向くことなく、リモートで各種データをバックアップ可能である。
【００２３】
また、フラッシュメモリ３３２に記憶するプログラム、データ等は、その一部または全部をサーバやクライアント等（不図示）の他の機器からネットワーク回線等の伝送媒体を介して受信して記憶する構成にしてもよい。更にフラッシュメモリ３３２は、ネットワーク上に構築されたサーバの記録媒体であってもよい。更に、各プログラムは、ネットワーク回線等の伝送媒体を介してサーバやクライアント（不図示）へ伝送してこれらの機器にインストールするように構成してもよい。
【００２４】
図５は、スマートフォン２の構成図である。
スマートフォン２は、ＣＰＵ２１、ＲＡＭ２２、ＲＯＭ２３１、フラッシュメモリ２３２、撮像部２４、タッチパネルディスプレイ２５、スピーカ２７、近距離通信部２９１、長距離通信部２９２を備えている。
【００２５】
ＣＰＵ２１は、ＲＯＭ２３１やフラッシュメモリ２３２に格納されているプログラムを実行し、ＲＡＭ２２を作業領域としてデータを読み書きする。
ＲＡＭ２２は、高速に読み書き可能な揮発性メモリである。
フラッシュメモリ２３２は、読み書き可能な不揮発性メモリである。
【００２６】
撮像部２４は、レンズ群が配置された鏡筒と、このレンズ群による被写体画像を撮像する撮像素子と、撮像素子による撮像データを処理して画像情報を得る画像処理部を備える。
【００２７】
タッチパネルディスプレイ２５は、例えば液晶ディスプレイや有機ＥＬディスプレイに透明なタッチパネルを積層したものであり、表示操作手段として動作する。
スピーカ２７は、電気信号を音声に変換するものである。
近距離通信部２９１は、例えばBluetooth（登録商標） Low EnergyやWi-Fi（登録商標）によって短距離の無線通信を行う通信手段であり、無線通信路を介して電子キャッシュレジスタ３と相互に通信する。
長距離通信部２９２は、例えばＬＴＥによって、長距離の無線通信を行う通信手段である。
【００２８】
図６は、システムの各装置が有するプログラムとデータを示す図である。
サーバ装置１は、不図示の記憶部にクラウド側アプリ更新プログラム１０と、レジ属性データ１０１、複数のレジ設定データバックアップ１０５、複数の機器画像１０２、複数の精算データ１０３、スマホアプリデータベース１０４を格納している。サーバ装置１の不図示のＣＰＵがクラウド側アプリ更新プログラム１０を実行することにより、スマホアプリデータベース１０４に格納された各スマホアプリにより各スマートフォン２のスマホアプリが更新される。
複数のレジ属性データ１０１は、スマートフォン２に設定されたレジ属性データ２０１を同期したものである。複数のレジ設定データバックアップ１０５は、スマートフォン２にバックアップされたレジ設定データバックアップ２０５を同期したものである。複数の機器画像１０２は、電子キャッシュレジスタ３の外観の画像である。複数の精算データ１０３は、各電子キャッシュレジスタ３から受信した精算データのバックアップである。ここで精算データとは、売上の締めの時（例えば、１日の売上の締めの時）までに売上登録されたデータを部門ごとに集計したデータである。スマホアプリデータベース１０４は、各バージョンのレジツールアプリ２０を格納しているデータベースである。
スマートフォン２は、例えばアプリ起動時などにサーバ装置１のレジ属性データ１０１と自身のレジ属性データ２０１を同期する。またスマートフォン２は、電子キャッシュレジスタ３のデータをバックアップしたのち、サーバ装置１のデータと同期する。
【００２９】
スマートフォン２は、フラッシュメモリ２３２にレジツールアプリ２０と、レジ属性データ２０１、複数のレジ設定データバックアップ２０５、複数の機器画像２０２、複数の精算データ２０３を格納している。レジツールアプリ２０は、サーバ装置１からダウンロードしてインストールされたものである。このレジツールアプリ２０により、電子キャッシュレジスタ３から精算データ２０３を受信して保存し、レジ設定データ３０５をレジ設定データバックアップ２０５にバックアップしたり、レジ設定データバックアップ２０５をレジ設定データ３０５にリストアすることができる。
【００３０】
電子キャッシュレジスタ３は、フラッシュメモリ３３２にレジファームウェア３０と、レジ設定データ３０５、売上データ３０３を格納している。このレジファームウェア３０により、売上げを登録した売上データ３０３を生成し、売上データ３０３を精算したり、レジ設定データ３０５に基づく動作を行うことができる。
【００３１】
図７は、スマートフォン２に設定されたレジ属性データ２０１の構造を示す図である。
レジ属性データ２０１は、この電子キャッシュレジスタ３の属性を示すものであり、法人名データ２０１ａと店舗番号データ２０１ｂ、店舗名データ２０１ｃ、レジ番号データ２０１ｄ、機種名データ２０１ｅ、更新日データ２０１ｆ、店名スタンプデータ２０１ｇとレシートメッセージデータ２０１ｈを含んでいる。
【００３２】
法人名データ２０１ａは、この電子キャッシュレジスタ３が設置された店舗を経営する法人の名称である。店舗番号データ２０１ｂと店舗名データ２０１ｃは、この電子キャッシュレジスタ３が設置されている店舗の番号と名称である。レジ番号データ２０１ｄは、この電子キャッシュレジスタ３の番号である。機種名データ２０１ｅは、この電子キャッシュレジスタ３の機種名であり、レジ設定データ３０１をバックアップした後に設定される。更新日データ２０１ｆは、このレジ属性データが更新された年月日である。
【００３３】
店名スタンプデータ２０１ｇは、レシートに印字される店舗識別画像のデータであり、レジ設定データ３０１をバックアップした後に設定される。レシートメッセージデータ２０１ｈは、レシートに印字される店舗識別文字列データであり、レジ設定データ３０１をバックアップした後に設定される。
【００３４】
図８は、レジ設定データ３０１の構造を示す図である。
レジ設定データ３０１は、機種名、店名スタンプ設定、レシートメッセージ設定、ＰＬＵ設定、部門設定、担当者設定、税設定などの項目を含んで構成される。
【００３５】
機種名には、このレジ設定データ３０１を格納する電子キャッシュレジスタ３の機種の名称が格納される。店名スタンプ設定には、この電子キャッシュレジスタ３がレシートに印字する店名スタンプ（画像）が格納される。レシートメッセージ設定には、この電子キャッシュレジスタ３がレシートに印字するメッセージ（文字列）が格納される。ＰＬＵ設定には、部門と価格との対応情報が格納される。部門設定には、この電子キャッシュレジスタ３に入力される部門情報が格納される。担当者設定には、この電子キャッシュレジスタ３を担当する者の情報が格納される。税設定には、例えば消費税に係る情報が格納される。
【００３６】
電子キャッシュレジスタのハードウェア故障の際には、他の個体に交換してバックアップデータをリストアすることで、短時間で復旧可能である。そのため、レジ設定データ３０１は、どの電子キャッシュレジスタの個体にもリストア可能なように構成されている。
【００３７】
図９は、電子キャッシュレジスタ３が印刷したレシート５を例に図示している。
レシート５には、店名スタンプ５１と店名情報５２とが印刷され、その下に発行日時５３と購買情報５４が印刷されている。店名スタンプ５１は、店舗を識別する画像データであり、図７に示した店名スタンプデータ２０１ｇを印刷したものである。店名情報５２は、店舗を識別する文字列データであり、図７に示したレシートメッセージデータ２０１ｈを印刷したものである。このように画像と文字列によって、どの店舗で発行されたレシートであるかを示すことができる。
【００３８】
図１０は、スマートフォン２上でレジツールアプリ２０を起動したときのパスコード入力画面６１である。
パスコード入力画面６１は、画面上部に「パスコードを入力」が表示され、その下に６桁のパスコード６１１と、テンキー６１２が表示されている。カスタマエンジニアが６桁のパスコードを正しく入力することで、図１１の「お店を選ぶ」画面に遷移する。
【００３９】
図１１は、初期状態の店舗選択画面６２である。
店舗選択画面６２は、画面上部に「お店を選ぶ」が表示され、法人名選択ピッカー６２１、店舗選択ピッカー６２２、店名スタンプ領域６２３、機器画像領域６２５、「お店を追加する」ボタン６２７が表示されている。
【００４０】
法人名ピッカー６２１は、法人名の選択を受け付ける受付手段であり、ピッカーとして実現されている。法人名ピッカー６２１は、「法人を選択」が表示されている。
店舗選択ピッカー６２２は、店舗の選択を受け付ける受付手段であり、ピッカーとして実現されている。店舗選択ピッカー６２２には、「店舗を選択」が表示されている。店名スタンプ領域６２３は、選択した店舗における店名スタンプを表示する領域であり、ここでは「データがありません」が表示されている。機器画像領域６２５は、選択した店舗における電子キャッシュレジスタ３の画像を表示する領域であり、ここでは「データがありません」が表示されている。
【００４１】
「お店を追加する」ボタン６２７は、新たに店舗を追加するための画面（不図示）に遷移するためのボタンである。
店舗選択ピッカー６２２をタップして、新宿靖国通店を選択すると、スマートフォン２は、図１２の画面に遷移する。
【００４２】
図１２は、選択後の店舗選択画面６２である。
店舗選択画面６２は、画面上部に「お店を選ぶ」が表示され、法人名選択ピッカー６２１、店舗選択ピッカー６２２、店名スタンプ領域６２３、機器画像領域６２５、「お店を追加する」ボタン６２７が表示され、更にレシートメッセージボックス６２４と機種名テキストボックス６２６が表示されている。
【００４３】
法人名ピッカー６２１には、「Ｙ珈琲」が選択表示されている。店舗選択ピッカー６２２は、「新宿靖国通店」が選択表示されている。店名スタンプ領域６２３は、選択した店舗における店名スタンプが表示されている。その下側には、新たにレシートメッセージボックス６２４が表示されている。店舗選択画面６２は、電子キャッシュレジスタ３がレシートに印字する店名スタンプをこの電子キャッシュレジスタ３から近距離通信部２９１によって取得し、この店名スタンプを店名スタンプ領域６２３に表示させる表示制御手段として機能する。
【００４４】
機器画像領域６２５は、Ｙ珈琲の新宿靖国通店における電子キャッシュレジスタ３の画像が表示されている。この上側には、機種名テキストボックス６２６が表示されている。なお、機種名テキストボックス６２６の「＃０１」は、新宿靖国通店における第１番目の電子キャッシュレジスタ３であることを示し、「ＵＦ−３８」は電子キャッシュレジスタ３の機種名を示している。つまり店舗選択画面６２は、電子キャッシュレジスタ３がレシートに印字する店名スタンプをこの電子キャッシュレジスタ３から近距離通信部２９１によって取得し、この店名スタンプを、この電子キャッシュレジスタ３を示す機器画像と共に表示させる表示制御手段として機能する。そしてＣＰＵ２１は、ユーザによって選択された電子キャッシュレジスタ３に格納されている機種情報を近距離通信部２９１によって取得する機種情報取得手段として機能する。
【００４５】
このように、法人と店舗を選択した際に、この店舗の電子キャッシュレジスタ３からバックアップしたレジ設定データバックアップ２０５に含まれる店名スタンプデータ２０１ｇとレシートメッセージデータ２０１ｈ（図７参照）とが切り替えて表示されるので、カスタマエンジニアは、電子キャッシュレジスタ３とレジ設定データバックアップ２０５の対応を取り違えることがなくなる。
【００４６】
図１３は、店名スタンプとレシートメッセージと機器画像と機種名の表示処理を示すフローチャートである。
最初、スマートフォン２のＣＰＵ２１は、該当する電子キャッシュレジスタ３のレジ設定データ３０５が、このスマートフォン２にバックアップ済みであるか否かを判定する（ステップＳ１５１）。ＣＰＵ２１は、バックアップ済みならば（Ｙｅｓ）、ステップＳ１５２の処理に進み、バックアップ済みでないならば（Ｎｏ）、ステップＳ１５８の処理に進む。
【００４７】
ステップＳ１５２〜Ｓ１５７は、店名スタンプとレシートメッセージと機器画像と機種名とを表示する処理である。ＣＰＵ２１は、レジ属性データ２０１の店名スタンプデータ２０１ｇを店名スタンプ領域に表示し（ステップＳ１５２）、その下側にレジ属性データ２０１のレシートメッセージデータ２０１ｈを表示する。
【００４８】
ＣＰＵ２１は、該当する電子キャッシュレジスタ３の機器画像２０２が有るか否かを判定する（ステップＳ１５４）。ＣＰＵ２１は、機器画像が有れば（Ｙｅｓ）、ステップＳ１５６に進み、機器画像が無ければ（Ｎｏ）、レジ属性データ２０１の機種名データ２０１ｆに基づき、機器画像をサーバ装置１から受信して記憶部に格納（ステップＳ１５５）したのち、ステップＳ１５６に進む。
【００４９】
ステップＳ１５６において、ＣＰＵ２１は、機器画像領域に機器画像を表示する。更にＣＰＵ２１は、レジ属性データ２０１のレジ番号データ２０１ｄと機種名データ２０１ｅを表示（ステップＳ１５７）したのち、図１３の処理を終了する。
【００５０】
ステップＳ１５８，Ｓ１５９は、レジ設定データバックアップ２０５が無い旨を表示する処理である。ＣＰＵ２１は、店名スタンプ領域に「データがありません」を表示し（ステップＳ１５８）、機器画像領域に「データがありません」を表示（ステップＳ１５９）すると、図１３の処理を終了する。
【００５１】
図１４は、メニュー画面６３である。
メニュー画面６３は、商品設定ボタン６３１とレジ精算ボタン６３２、レシートメッセージ作成ボタン６３３、レシート店名スタンプ作成ボタン６３４、レジ設定バックアップボタン６３５、レジ設定リストアボタン６３６を含んでいる。
【００５２】
商品設定ボタン６３１は、電子キャッシュレジスタ３に新たな商品を設定したり、既存の商品の設定を変更する画面（不図示）に遷移するボタンである。レジ精算ボタン６３２は、後記する図２５に示すレジ精算画面６５に遷移するボタンである。レシートメッセージ作成ボタン６３３は、レシートメッセージの作成画面（不図示）に遷移するボタンである。レシート店名スタンプ作成ボタン６３４は、店名スタンブの作成画面（不図示）に遷移するボタンである。
【００５３】
レジ設定バックアップボタン６３５は、後記する図１５に示すレジ設定バックアップ画面６４に遷移するボタンである。レジ設定リストアボタン６３６は、後記する図２１に示すレジ設定リストア画面６８に遷移するボタンである。
【００５４】
図１５は、レジ設定バックアップ画面６４である。
レジ設定バックアップ画面６４には、店舗番号テキストボックス６４１と店名スタンプ領域６４２、レシートメッセージボックス６４３、レジ選択ピッカー６４４、機器画像領域６４５、機種名テキストボックス６４６、レジ設定バックアップボタン６４７、レジ通信テストボタン６４８、「メニューに戻る」ボタン６４９が表示されている。
【００５５】
店舗番号テキストボックス６４１は、現在選択中の店舗の番号を表示する。店名スタンプ領域６４２は、店名スタンプを表示する。レシートメッセージボックス６４３は、レシートメッセージを表示する。これら店名スタンプとレシートメッセージの表示により、カスタマエンジニアは、レジ設定データバックアップ２０５のバックアップ元の電子キャッシュレジスタが設置されている店舗を容易に識別可能である。
【００５６】
レジ選択ピッカー６４４は、この店舗に複数の電子キャッシュレジスタ３が設置されている場合に、そのいずれかの切り替え選択を受け付けるピッカーであり、ここでは「レジ番号＃０１」が表示されている。機器画像領域６４５は、現在選択中の電子キャッシュレジスタ３の画像を表示する。機種名テキストボックス６４６は、現在選択中の電子キャッシュレジスタ３の機種名を表示する。
レジ選択ピッカー６４４によって切り替え選択が受け付けられ、切り替え選択後の売上データ処理装置の機種が、切り替え選択前の売上データ処理装置と異なる機種であったならば、前記機器画像を切り替えて前記表示部に表示させる、
【００５７】
レジ設定バックアップボタン６４７は、通信相手の電子キャッシュレジスタ３内のレジ設定データ３０５を受信して、レジ選択ピッカー６４４で選択された電子キャッシュレジスタ３のものとしてバックアップするボタンである。レジ通信テストボタン６４８は、通信相手の電子キャッシュレジスタ３との通信テストを行うボタンである。「メニューに戻る」ボタン６４９は、図１４に示したメニュー画面６３に戻るボタンである。
電子キャッシュレジスタ３とのバックアップ処理の実行中に、レジ設定バックアップ画面６４は、店名スタンプ領域６４２に店名スタンプを表示し、機器画像領域６４５に電子キャッシュレジスタ３の画像を表示する。これによりユーザは、電子キャッシュレジスタ３と、この電子キャッシュレジスタ３に対して送受信するデータとの対応を容易に判定可能となる。なお、リストア処理または精算処理または点検処理の実行中に、レジ設定バックアップ画面６４は、店名スタンプ領域６４２に店名スタンプを表示し、機器画像領域６４５に電子キャッシュレジスタ３の画像を表示してもよい。
【００５８】
図１６は、電子キャッシュレジスタ３の操作画面である。
電子キャッシュレジスタ３の表示部３４には、操作画面が表示されている。ここでは、バックアップ先としてBluetooth（登録商標）接続、メモリカード、それ以外を番号で選択するようにしている。ここで「１」の数字キーが押下されると、電子キャッシュレジスタ３は、Bluetooth（登録商標）接続待ち状態となる。電子キャッシュレジスタ３は更に、スマートフォン２との間で通信を確立すると、図１７に示す無線通信中の画面に遷移する。
【００５９】
図１７は、無線通信中の表示画面である。
電子キャッシュレジスタ３の表示部３４には、「Bluetooth（登録商標）接続中」と表示されている。このとき、スマートフォン２を介して各種データのバックアップやリストアを行うことができる。
なお、電子キャッシュレジスタ３は、常にBluetooth（登録商標）のアドバタイズメントを待つようにしてもよく、限定されない。
【００６０】
図１８は、レジ設定バックアップが正常終了したときの実行結果印字７１である。
実行結果印字７１は、電子キャッシュレジスタ３によってレシート用紙に印字され、日時欄７１１と識別情報欄７１２、バックアップ結果欄７１３が印字されている。
【００６１】
日時欄７１１は、レジ設定バックアップを実行したときの日時の印字である。識別情報欄７１２は、店舗とレジ番号の組合せの印字である。バックアップ結果欄７１３には、「レジ設定バックアップ正常終了」が印字されている。この実行結果印字７１により、カスタマエンジニアは、レジ設定バックアップの結果を他者に証明可能となる。
【００６２】
図１９は、レジ設定データがバックアップされていなかったときのレジ設定バックアップ画面６４である。
このレジ設定バックアップ画面６４は、図１５に示したレジ設定バックアップ画面６４とは異なり、店名スタンプ領域６４２と機器画像領域６４５に「データがありません」が表示されている。
【００６３】
図２０は、レジ設定のバックアップ動作を示すシーケンス図である。
レジ設定バックアップ画面６４において、カスタマエンジニアがレジ設定バックアップボタン６４７をタップした場合を考える（ステップＳ１０）。
カスタマエンジニアは電子キャッシュレジスタ３のキーボード３８を操作して、Bluetooth（登録商標）通信を選択する（ステップＳ１１）。これにより電子キャッシュレジスタ３は、表示部３４に図１７に示した画面を表示し、外部にアドバタイズメントを定期的に送信する（ステップＳ１２〜Ｓ１４）。なお、カスタマエンジニアは、先に電子キャッシュレジスタ３のキーボード３８を操作してBluetooth（登録商標）通信を選択し、その後、レジ設定バックアップボタン６４７をタップしてもよい。
【００６４】
スマートフォン２は電子キャッシュレジスタ３に接続要求を送信し（ステップＳ２１）、接続が確立する（ステップＳ２２）。スマートフォン２は、通信接続した電子キャッシュレジスタ３にバックアップの実行を要求する（ステップＳ２３）。この要求に応答して、電子キャッシュレジスタ３は、バックアップを実行して、レジ設定データ３０５をスマートフォン２に送信する（ステップＳ２４）。その後、電子キャッシュレジスタ３は、通信を切断すると（ステップＳ２５）、実行結果を印字する（ステップＳ２６）。この実行結果印字は、図１８に示している。
【００６５】
スマートフォン２は、レジ属性データ２０１に、レジ設定データ３０５から取得した店名スタンプとレシートメッセージを設定する（ステップＳ２７）。スマートフォン２は、サーバ装置１に対して機器画像を要求し（ステップＳ２８），サーバ装置１は機器画像を送信する（ステップＳ２９）。スマートフォン２は、受信した機器画像を自身の機器画像２０２に追加する（ステップＳ３０）。これにより、スマートフォン２は、バックアップに係る一連の動作を終了する。
【００６６】
図２１は、レジ設定リストア画面６８である。
レジ設定リストア画面６８には、店舗番号テキストボックス６８１と店名スタンプ領域６８２、レシートメッセージボックス６８３、レジ選択ピッカー６８４、機器画像領域６８５、機種名テキストボックス６８６、レジ設定リストアボタン６８７、レジ通信テストボタン６８８、「メニューに戻る」ボタン６８９が表示されている。
【００６７】
店舗番号テキストボックス６８１は、現在選択中の店舗の番号を表示する。店名スタンプ領域６８２は、店名スタンプを表示する。レシートメッセージボックス６８３は、レシートメッセージを表示する。これら店名スタンプとレシートメッセージの表示により、カスタマエンジニアは、レジ設定データバックアップ２０５のうちリストア対象のものを容易に識別可能である。
【００６８】
レジ選択ピッカー６８４は、この店舗に複数の電子キャッシュレジスタ３が設置されている場合に、そのいずれかを選択するピッカーであり、ここでは「レジ番号＃０１」が表示されている。機器画像領域６８５は、現在選択中の電子キャッシュレジスタ３の画像を表示する。機種名テキストボックス６８６は、現在選択中の電子キャッシュレジスタ３から受信したレジ設定データバックアップ２０５に格納された機種名を表示する。
【００６９】
レジ設定リストアボタン６８７は、レジ選択ピッカー６４４で選択された電子キャッシュレジスタ３に関するレジ設定データバックアップ２０５を、通信相手の電子キャッシュレジスタ３にリストアするボタンである。レジ通信テストボタン６８８は、通信相手の電子キャッシュレジスタ３との通信テストを行うボタンである。「メニューに戻る」ボタン６８９は、図１４に示したメニュー画面６３に戻るボタンである。
【００７０】
図２２は、レジ設定リストアが正常終了したときの実行結果印字７３である。
実行結果印字７３は、電子キャッシュレジスタ３によってレシート用紙に印字され、日時欄７３１と識別情報欄７３２、バックアップ結果欄７３３が印字されている。
【００７１】
日時欄７３１は、レジ設定リストアを実行したときの日時の印字である。識別情報欄７３２は、店舗とレジ番号の組合せの印字である。バックアップ結果欄７３３には、「レジ設定リストア正常終了」が印字されている。この実行結果印字７３により、カスタマエンジニアは、レジ設定リストアの結果を他者に証明可能となる。
【００７２】
図２３は、レジ設定データがバックアップされていなかったときのレジ設定リストア画面６８である。
このレジ設定リストア画面６８は、図２１に示したレジ設定リストア画面６８とは異なり、店名スタンプ領域６８２と機器画像領域６８５に「データがありません」が表示されている。更に、レジ設定リストアボタン６８７が無効表示されている。これにより、スマートフォン２は、リストアが実行できないことをユーザ（カスタマエンジニア）に伝えている。
【００７３】
図２４は、レジ設定のリストア動作を示すシーケンス図である。
レジ設定リストア画面６８において、カスタマエンジニアがレジ設定リストアボタン６８７をタップした場合を考える（ステップＳ４０）。
カスタマエンジニアは電子キャッシュレジスタ３のキーボード３８を操作して、Bluetooth（登録商標）通信を選択する（ステップＳ４１）。これにより電子キャッシュレジスタ３は、表示部３４に図１７に示した画面を表示し、外部にアドバタイズメントを定期的に送信する（ステップＳ４２〜Ｓ４４）。
【００７４】
スマートフォン２は電子キャッシュレジスタ３に接続要求を送信し（ステップＳ５１）、接続が確立する（ステップＳ５２）。スマートフォン２は、通信接続した電子キャッシュレジスタ３にレジ設定データバックアップ２０５を送信する（ステップＳ５３）。この要求に応答して、電子キャッシュレジスタ３は、リストアを実行して、その応答をスマートフォン２に送信する（ステップＳ５４）。その後、電子キャッシュレジスタ３は、通信を切断すると（ステップＳ５５）、実行結果を印字する（ステップＳ５６）。この実行結果印字は、図２２に示している。
【００７５】
図２５は、レジ精算画面６５である。
レジ精算画面６５には、店舗番号テキストボックス６５１と店名スタンプ領域６５２、レシートメッセージボックス６５３、レジ選択ピッカー６５４、機器画像領域６５５、機種名テキストボックス６５６、「レジ精算受信待ち」ボタン６５７、レジ通信テストボタン６５８、「メニューに戻る」ボタン６５９が表示されている。
【００７６】
店舗番号テキストボックス６５１は、現在選択中の店舗の番号を表示する。店名スタンプ領域６５２は、店名スタンプを表示する。レシートメッセージボックス６５３は、レシートメッセージを表示する。これら店名スタンプとレシートメッセージの表示により、カスタマエンジニアは、精算を指示する電子キャッシュレジスタが設置されている店舗を容易に識別可能である。
【００７７】
レジ選択ピッカー６５４は、この店舗に複数の電子キャッシュレジスタ３が設置されている場合に、そのいずれかを選択するピッカーであり、ここでは「レジ番号＃０１」が表示されている。機器画像領域６５５は、現在選択中の電子キャッシュレジスタ３の画像を表示する。機種名テキストボックス６５６は、現在選択中の電子キャッシュレジスタ３の機種名を表示する。
【００７８】
「レジ精算受信待ち」ボタン６５７は、通信相手の電子キャッシュレジスタ３に対して売上データ３０３を精算させ、レジ選択ピッカー６４４で選択された電子キャッシュレジスタ３のものとして精算データを受信するボタンである。この「レジ精算受信待ち」ボタン６５７をタップすると、通信相手の電子キャッシュレジスタ３は精算処理を開始し、後記する図２６に示した精算データ受信中ビュー６６ａが表示される。
レジ通信テストボタン６５８は、通信相手の電子キャッシュレジスタ３との通信テストを行うボタンである。「メニューに戻る」ボタン６５９は、図１４に示したメニュー画面６３に戻るボタンである。
【００７９】
図２６は、精算データ受信中ビュー６６ａである。
精算データ受信中ビュー６６ａは、進捗ビュー６６１とキャンセルボタン６６２とが表示されている。進捗ビュー６６１は、精算データの受信がどこまで進捗したかを示すものである。キャンセルボタン６６２は、精算処理をキャンセルして元のレジ精算画面６５に戻るボタンである。
【００８０】
図２７は、売上データを消去しているときの精算データ消去中ビュー６６ｂである。
精算データ受信中ビュー６６ａから進捗ビュー６６１とキャンセルボタン６６２とが消えて、「精算データを受信しました。レジの売上データを消去しています。」が表示されると、精算データ消去中ビュー６６ｂに遷移する。このとき、精算データ消去中ビュー６６ｂのバックには、精算情報画面６７が表示されている。この精算情報画面６７は、精算データを表示する精算情報領域６７１と、無効表示された「閉じる」ボタン６７２と「クラウドに送信」ボタン６７３が表示されている。
【００８１】
図２８は、正常終了時の精算データ受信完了ビュー６６ｃである。
電子キャッシュレジスタ３において売上データの消去が完了すると、図２８に示した精算データ受信完了ビュー６６ｃが表示される。精算データ受信完了ビュー６６ｃには、「レジとの通信は正常終了しました。」が表示され、更に「閉じる」ボタン６６３が表示されている。カスタマエンジニアが「閉じる」ボタン６６３をタップすると、この精算データ受信完了ビュー６６ｃが閉じて、後記する図２９の精算情報画面６７に遷移する。
【００８２】
図２９は、精算情報画面６７である。
精算情報画面６７は、精算データを表示する精算情報領域６７１と、「閉じる」ボタン６７２と「クラウドに送信」ボタン６７３が表示されている。「閉じる」ボタン６７２をタップすると、この精算情報画面６７が閉じる。「クラウドに送信」ボタン６７３をタップすると、精算データがクラウドのサーバ装置１に送信される。
【００８３】
図３０は、精算処理が正常終了したときの実行結果印字７２である。
実行結果印字７２は、電子キャッシュレジスタ３によってレシート用紙に印字され、日時欄７２１と識別情報欄７２２、精算処理結果欄７２３が印字されている。
日時欄７２１は、精算処理を実行したときの日時の印字である。識別情報欄７２２は、店舗とレジ番号の組合せの印字である。精算処理結果欄７２３には、「精算処理正常終了」が印字されている。この実行結果印字７２により、カスタマエンジニアは、精算処理をしたことを他者に証明可能となる。
【００８４】
図３１は、レジ精算動作を示すシーケンス図である。
カスタマエンジニアは、スマートフォン２上でレジツールアプリ２０を操作して、レジ精算画面６５の「レジ精算受信待ち」ボタン６５７をタップする（ステップＳ６０）。スマートフォン２は、図２６に示した精算データ受信中ビュー６６ａを表示する（ステップＳ６１）。
【００８５】
カスタマエンジニアが電子キャッシュレジスタ３のキーボード３８を操作して、図１６に示した画面を表示部に表示させたのち、Bluetooth（登録商標）通信を選択する（ステップＳ６２）。これにより電子キャッシュレジスタ３は、表示部３４に図１７に示した画面を表示し、外部にアドバタイズメントを定期的に送信する（ステップＳ６３〜Ｓ６５）。スマートフォン２は電子キャッシュレジスタ３に接続要求を送信し（ステップＳ７１）、接続が確立する（ステップＳ７３）。
【００８６】
次いでスマートフォン２は、電子キャッシュレジスタ３に精算の要求を送信する（ステップＳ７３）。電子キャッシュレジスタ３は、要求に応じて精算処理を行い（ステップＳ７４）、精算データをスマートフォン２に送信する（ステップＳ７５）。精算データの受信を完了すると、スマートフォン２は、図２７に示した精算データ消去中ビュー６６ｂを表示して、消去中である旨を示す。
【００８７】
更にスマートフォン２は、電子キャッシュレジスタ３に売上データの消去要求を送信する（ステップＳ７７）。電子キャッシュレジスタ３は、要求に応じて売上データの消去処理を行い（ステップＳ７８）、売上データの消去通知をスマートフォン２に送信する（ステップＳ７９）。電子キャッシュレジスタ３は、通信を切断して（ステップＳ８０）、精算処理の結果を印字する（ステップＳ８１）。この実行結果印字７２は、図３０に示している。
【００８８】
スマートフォン２は、図２８に示す精算データ受信完了ビュー６６ｃを表示し（ステップＳ８２）、レジとの通信が終了したことを示す。そしてスマートフォン２は、「閉じる」ボタン６６３がタップされると（ステップＳ８３）、この精算データ受信完了ビュー６６ｃを閉じる。
【００８９】
図３２は、レジ精算データをクラウドにアップロードする動作を示すシーケンス図である。
カスタマエンジニアは、スマートフォン２上でレジツールアプリ２０を操作して、精算情報画面６７の「クラウドに送信」ボタン６７３をタップする（ステップＳ９０）。スマートフォン２は、送信中ビュー（不図示）を表示する（ステップＳ９１）。スマートフォン２は、サーバ装置１に精算データを送信する（ステップＳ９２）。サーバ装置１は、要求に応じて精算データを記憶部に格納し、その応答をスマートフォン２に送信する（ステップＳ９３）。応答を受信すると、スマートフォン２は、終了ビュー（不図示）を表示する（ステップＳ９４）。この終了ビューには、「閉じる」ボタンが表示されている。
【００９０】
カスタマエンジニアが終了ビューの「閉じる」ボタンをタップすると（ステップＳ９５）、スマートフォン２は、この終了ビューを閉じる。
【００９１】
《本実施形態の効果》
電子キャッシュレジスタ３に特有の店名スタンプを活用することにより、カスタマエンジニア（ユーザ）は、スマートフォンが通信接続した電子キャッシュレジスタ３とバックアップデータとの対応が分かり易くなる。例えば、代理店のカスタマエンジニアは、複数店舗で複数種類の電子キャッシュレジスタを保守している。スマートフォン内のレジ設定データバックアップを電子キャッシュレジスタにリストアする場合、レジ設定データバックアップに含まれる店名スタンプと機種画像とを画面に表示すると、レジ設定データバックアップの取違いを防ぐことができる。
本実施形態は、代理店のカスタマエンジニアに限られず、地域マネージャが、担当地域のレジの点検データや精算データをスマートフォンで取得する際にも有効である。
【００９２】
《変形例》
この変形例は、スマートフォン２を電子キャッシュレジスタ３に翳すことによって、この電子キャッシュレジスタを認識するというものである。
図３３は、変形例における初期状態の店舗選択画面６９である。
店舗選択画面６９は、画面上部に「レジに翳してください」のガイダンス６９１が表示され、法人名テキストボックス６９２、店名スタンプ領域６９３、機器画像領域６９５が表示されている。
【００９３】
法人名テキストボックス６９２は、店舗を経営する法人名として「Ｙ珈琲」が表示されている。店名スタンプ領域６９３は、選択した店舗における店名スタンプを表示する領域であり、ここでは「データがありません」が表示されている。機器画像領域６９５は、選択した店舗における電子キャッシュレジスタ３の画像を表示する領域であり、ここでは「データがありません」が表示されている。
スマートフォン２は、電子キャッシュレジスタ３に翳されると、図３４の画面に遷移する。
【００９４】
図３４は、レジ認識後の店舗選択画面６９である。
ガイダンス６９１には、「レジを認識しました」が表示されている。店名スタンプ領域６９３は、選択した店舗における店名スタンプが表示されている。その下側には、新たにレシートメッセージボックス６９４が表示されている。
機器画像領域６９５は、新宿靖国通店における電子キャッシュレジスタ３の画像が表示されている。この上側には、機種名テキストボックス６９６が表示されている。なお、機種名テキストボックス６９６の「＃０１」は、新宿靖国通店における第１番目の電子キャッシュレジスタ３であることを示し、「ＵＦ−３８」は電子キャッシュレジスタ３の機種名を示している。
【００９５】
図３５は、レジ認識動作を示すシーケンス図である。
カスタマエンジニアが電子キャッシュレジスタ３のキーボード３８を操作して、Bluetooth（登録商標）通信を選択する（ステップＳ１２０）。これにより電子キャッシュレジスタ３は、外部にアドバタイズメントを定期的に送信する（ステップＳ１２１〜Ｓ１２３）。
【００９６】
次いでカスタマエンジニアが、スマートフォン２上でレジツールアプリ２０を起動し、テンキー６１２をタップしてパスコードを入力する（ステップＳ１３０）。これにより、スマートフォン２は電子キャッシュレジスタ３に接続要求を送信し（ステップＳ１３１）、接続が確立する（ステップＳ１３２）。スマートフォン２は、店舗選択画面６２を表示すると共に、レジ設定データ３０５を電子キャッシュレジスタ３に要求する（ステップＳ１３３）。この要求に応答して、電子キャッシュレジスタ３は、レジ設定データ３０５をスマートフォン２に送信する（ステップＳ１３４）。スマートフォン２のＣＰＵ２１は、受信したレジ設定データ３０５を、フラッシュメモリ２３２に格納すると共に、店名スタンプデータ２０１ｇやレシートメッセージデータ２０１ｈを店舗選択画面６２に表示する（ステップＳ１３５）。
【００９７】
スマートフォン２は更に、機種名データ２０１ｅをサーバ装置１に送信して、この機種名にかかる機種画像を要求する（ステップＳ１３６）。サーバ装置１は、要求された機種画像をスマートフォン２に送信する（ステップＳ１３７）。これによりスマートフォン２は、機種画像を店舗選択画面６２に表示する（ステップＳ１３８）。
【００９８】
《他の変形例》
本発明は、上記実施形態に限定されることなく、本発明の趣旨を逸脱しない範囲で、変更実施が可能であり、例えば、次の（ａ）〜（ｄ）のようなものがある。
【００９９】
（ａ）  機器画像は単なる外観画像ではなく、電子キャッシュレジスタが設置されている状態を撮影した画像であってもよい。これにより、カスタマエンジニア（ユーザ）は、個各電子キャッシュレジスタを更に容易に判定できる。この場合、機器画像は店名スタンプと同様に、各電子キャッシュレジスタに格納されていると、サーバ装置１との通信を行うことなく機器画像を取得可能であり、好適である。
（ｂ）  電子キャッシュレジスタは、近距離無線通信路で接続している際、表示部に自身の識別番号（＃０１など）を表示してもよい。これにより、カスタマエンジニアは、スマートフォンの画面上に設定したレジの識別番号と、実機とを容易に対応づけることができる。
（ｃ）  精算処理やバックアップの実行結果印字には、店名スタンプや機種画像を併せて印刷してもよい。これにより、どの電子キャッシュレジスタの実行結果であるかを容易に判別可能である。
（ｄ）  スマートフォンが、電子キャッシュレジスタとの一連のデータ通信を含むタスク（バックアップ、リストア、点検、精算など）を開始する際に、店名スタンプデータおよび機種名データを最初に取得して、タスク実行中に店名スタンプと機器画像を表示するようにしてもよい。これにより、当該タスクの実行中（バックアップ実行中、リストア実行中、点検実行中、精算実行中など）において、識別を容易にすることができる。
【０１００】
以下に、この出願の願書に最初に添付した特許請求の範囲に記載した発明を付記する。付記に記載した請求項の項番は、この出願の願書に最初に添付した特許請求の範囲の通りである。
〔付記〕
【０１０１】
《請求項１》
コンピュータを、
無線通信路を介して売上データ処理装置と通信する通信手段、
前記売上データ処理装置がレシートに印字する店舗識別画像を前記通信手段によって取得し、前記店舗識別画像を表示部に表示させる表示制御手段、
として機能させるための売上データ処理装置の管理プログラム。
《請求項２》
コンピュータを、
無線通信路を介して売上データ処理装置と通信する通信手段、
店舗の選択を受け付ける受付手段、
前記受付手段により選択を受け付けた前記店舗に設置された売上データ処理装置がレシートに印字する店舗識別画像を前記通信手段によって取得し、前記店舗識別画像を、前記売上データ処理装置を示す機器画像と共に表示部に表示させる表示制御手段、
として機能させるための売上データ処理装置の管理プログラム。
《請求項３》
前記受付手段は更に、売上データ処理装置の切り替え選択を受け付け、
前記表示制御手段は、前記受付手段によって切り替え選択が受け付けられ、切り替え選択後の売上データ処理装置の機種が、切り替え選択前の売上データ処理装置と異なる機種であったならば、前記機器画像を切り替えて前記表示部に表示させる、
ための請求項２に記載の売上データ処理装置の管理プログラム。
《請求項４》
前記表示制御手段は、前記売上データ処理装置との一連のデータ通信を含むタスクの実行中に、前記店舗識別画像または前記機器画像を前記表示部に表示させる、
ための請求項２または３に記載の売上データ処理装置の管理プログラム。
《請求項５》
前記タスクは、バックアップ処理またはリストア処理または精算処理または点検処理である、
ことを特徴とする請求項４に記載の売上データ処理装置の管理プログラム。
《請求項６》
選択された前記売上データ処理装置に格納されている機種情報を前記通信手段によって取得する機種情報取得手段、
として機能させ、
前記表示制御手段は、前記機種情報取得手段によって取得された前記機種情報に基づいて、前記機器画像を前記表示部に表示させる、
ための請求項２から４のうちいずれか１項に記載の売上データ処理装置の管理プログラム。
《請求項７》
無線通信路を介して売上データ処理装置と通信する通信手段と、
前記売上データ処理装置がレシートに印字する店舗識別画像を前記通信手段によって取得し、前記店舗識別画像を表示部に表示させる表示制御手段と、
を備えることを特徴とする管理端末。
《請求項８》
携帯端末が、無線通信路を介して売上データ処理装置と通信し、
前記売上データ処理装置がレシートに印字する店舗識別画像を前記無線通信路を介して取得し、前記店舗識別画像を表示部に表示させる、
ことを特徴とする売上データ処理装置の管理方法。
【符号の説明】
【０１０２】
１  サーバ装置
１０  クラウド側アプリ更新プログラム
１０１  レジ属性データ
１０２  機器画像
１０３  精算データ
１０４  スマホアプリデータベース
１０５  レジ設定データバックアップ
２  スマートフォン
２０  レジツールアプリ
２０１  レジ属性データ
２０１ａ  法人名データ
２０１ｂ  店舗番号データ
２０１ｃ  店舗名データ
２０１ｄ  レジ番号データ
２０１ｅ  機種名データ
２０１ｆ  更新日データ
２０１ｇ  店名スタンプデータ
２０１ｈ  レシートメッセージデータ
２０２  機器画像
２０３  精算データ
２０５  レジ設定データバックアップ
２１  ＣＰＵ
２２  ＲＡＭ
２３１  ＲＯＭ
２３２  フラッシュメモリ
２４  撮像部
２５  タッチパネルディスプレイ  （表示部）
２７  スピーカ
２９１  近距離通信部
２９２  長距離通信部
３  電子キャッシュレジスタ  （売上データ処理装置）
３０  レジファームウェア
３０３  売上データ
３０５  レジ設定データ
３１  ＣＰＵ
３２  ＲＡＭ
３３１  ＲＯＭ
３３２  フラッシュメモリ
３３３  カードリーダ
３４  表示部
３５  客用表示部
３６  印刷部
３６２  ロールペーパ（レシート用紙）
３７  ドロア
３８  キーボード
３８１  モードスイッチ
３９１  近距離通信部
３９２  長距離通信部
４  メモリカード
５  レシート
５１  店名スタンプ
５２  店名情報
５３  発行日時
５４  購買情報
６１  パスコード入力画面
６１１  パスコード
６１２  テンキー
６２  店舗選択画面
６２１  法人名選択ピッカー  （受付手段）
６２２  店舗選択ピッカー  （受付手段）
６２３  店名スタンプ領域
６２４  レシートメッセージボックス
６２５  機器画像領域
６２６  機種名テキストボックス
６２７  「お店を追加する」ボタン
６３  メニュー画面
６３１  商品設定ボタン
６３２  レジ精算ボタン
６３３  レシートメッセージ作成ボタン
６３４  レシート店名スタンプ作成ボタン
６３５  レジ設定バックアップボタン
６３６  レジ設定リストアボタン
６４  レジ設定バックアップ画面
６４１  店舗番号テキストボックス
６４２  店名スタンプ領域
６４３  レシートメッセージボックス
６４４  レジ選択ピッカー  （受付手段）
６４５  機器画像領域
６４６  機種名テキストボックス
６４７  レジ設定バックアップボタン
６４８  レジ通信テストボタン
６４９  「メニューに戻る」ボタン
６５  レジ精算画面
６５１  店舗番号テキストボックス
６５２  店名スタンプ領域
６５３  レシートメッセージボックス
６５４  レジ選択ピッカー
６５５  機器画像領域
６５６  機種名テキストボックス
６５７  「レジ精算受信待ち」ボタン
６５８  レジ通信テストボタン
６５９  「メニューに戻る」ボタン
６６ａ  精算データ受信中ビュー
６６ｂ  精算データ消去中ビュー
６６ｃ  精算データ受信完了ビュー
６６１  進捗ビュー
６６２  キャンセルボタン
６６３  「閉じる」ボタン
６７  精算情報画面
６７１  精算情報領域
６７２  「閉じる」ボタン
６７３  「クラウドに送信」ボタン
６８  レジ設定リストア画面
６８１  店舗番号テキストボックス
６８２  店名スタンプ領域
６８３  レシートメッセージボックス
６８４  レジ選択ピッカー
６８５  機器画像領域
６８６  機種名テキストボックス
６８７  レジ設定リストアボタン
６８８  レジ通信テストボタン
６８９  「メニューに戻る」ボタン
６９  店舗選択画面
６９１  ガイダンス
６９２  法人名テキストボックス
６９３  店名スタンプ領域
６９４  レシートメッセージボックス
６９５  機器画像領域
６９６  機種名テキストボックス
７１  実行結果印字
７１１  日時欄
７１２  識別情報欄
７１３  バックアップ結果欄
７２  実行結果印字
７２１  日時欄
７２２  識別情報欄
７２３  精算処理結果欄
Ｎ  通信ネットワーク
Ｗ  無線ネットワーク
【図１】
2020080171.tif 000003
【図２】
2020080171.tif 000004
【図３】
2020080171.tif 000005
【図４】
2020080171.tif 000006
【図５】
2020080171.tif 000007
【図６】
2020080171.tif 000008
【図７】
2020080171.tif 000009
【図８】
2020080171.tif 000010
【図９】
2020080171.tif 000011
【図１０】
2020080171.tif 000012
【図１１】
2020080171.tif 000013
【図１２】
2020080171.tif 000014
【図１３】
2020080171.tif 000015
【図１４】
2020080171.tif 000016
【図１５】
2020080171.tif 000017
【図１６】
2020080171.tif 000018
【図１７】
2020080171.tif 000019
【図１８】
2020080171.tif 000020
【図１９】
2020080171.tif 000021
【図２０】
2020080171.tif 000022
【図２１】
2020080171.tif 000023
【図２２】
2020080171.tif 000024
【図２３】
2020080171.tif 000025
【図２４】
2020080171.tif 000026
【図２５】
2020080171.tif 000027
【図２６】
2020080171.tif 000028
【図２７】
2020080171.tif 000029
【図２８】
2020080171.tif 000030
【図２９】
2020080171.tif 000031
【図３０】
2020080171.tif 000032
【図３１】
2020080171.tif 000033
【図３２】
2020080171.tif 000034
【図３３】
2020080171.tif 000035
【図３４】
2020080171.tif 000036
【図３５】
2020080171.tif 000037
【手続補正書】
【提出日】令和2年2月25日(2020.2.25)
【手続補正１】
【補正対象書類名】明細書
【補正対象項目名】０００８
【補正方法】変更
【補正の内容】
【０００８】
本発明は、上記目的を達成するため、
管理端末のコンピュータを、
無線通信路を介して売上データ処理装置と通信する通信手段、
前記通信手段による前記売上データ処理装置との通信を介して、当該売上データ処理装置に格納されている設定データを取得する設定データ取得手段、
前記設定データ取得手段によって取得された前記設定データを、前記売上データ処理装置の識別情報と対応付けてバックアップするバックアップ手段、
店舗の選択を受け付ける受付手段、
前記受付手段によって前記店舗の選択が受け付けられた際に、前記設定データがバックアップ済みであるか否か判別する判別手段、
前記バックアップ手段によってバックアップされた設定データから前記店舗を識別可能な店舗識別画像を取得して、表示部に表示させる表示制御手段、
として機能させ、
前記表示制御手段は、
前記判別手段によって、前記設定データがバックアップ済みであると判別された場合には、前記店舗識別画像を、前記売上データ処理装置を示す機器画像と共に表示部に表示させ、
前記判別手段によって、前記設定データがバックアップされていないと判別された場合には、前記設定データがバックアップされていないことを示す情報を表示部に表示させる、
ことを特徴とするプログラムである。
【手続補正２】
【補正対象書類名】特許請求の範囲
【補正対象項目名】全文
【補正方法】変更
【補正の内容】
【特許請求の範囲】
【請求項１】
管理端末のコンピュータを、
無線通信路を介して売上データ処理装置と通信する通信手段、
前記通信手段による前記売上データ処理装置との通信を介して、当該売上データ処理装置に格納されている設定データを取得する設定データ取得手段、
前記設定データ取得手段によって取得された前記設定データを、前記売上データ処理装置の識別情報と対応付けてバックアップするバックアップ手段、
店舗の選択を受け付ける受付手段、
前記受付手段によって前記店舗の選択が受け付けられた際に、前記設定データがバックアップ済みであるか否か判別する判別手段、
前記バックアップ手段によってバックアップされた設定データから前記店舗を識別可能な店舗識別画像を取得して、表示部に表示させる表示制御手段、
として機能させ、
前記表示制御手段は、
前記判別手段によって、前記設定データがバックアップ済みであると判別された場合には、前記店舗識別画像を、前記売上データ処理装置を示す機器画像と共に表示部に表示させ、
前記判別手段によって、前記設定データがバックアップされていないと判別された場合には、前記設定データがバックアップされていないことを示す情報を表示部に表示させる、
ことを特徴とするプログラム。
【請求項２】
前記受付手段は更に、売上データ処理装置の切り替え選択を受け付け、
前記表示制御手段は、前記受付手段によって切り替え選択が受け付けられ、切り替え選択後の売上データ処理装置の機種が、切り替え選択前の売上データ処理装置と異なる機種であったならば、前記機器画像を切り替えて前記表示部に表示させる、
ことを特徴とする請求項１に記載のプログラム。
【請求項３】
前記表示制御手段は、前記売上データ処理装置との一連のデータ通信を含むタスクの実行中に、前記店舗識別画像または前記機器画像を前記表示部に表示させる、
ことを特徴とする請求項１または２に記載のプログラム。
【請求項４】
前記タスクは、バックアップ処理またはリストア処理または精算処理または点検処理である、
ことを特徴とする請求項３に記載のプログラム。
【請求項５】
選択された前記売上データ処理装置に格納されている機種情報を前記通信手段によって取得する機種情報取得手段、
として機能させ、
前記表示制御手段は、前記機種情報取得手段によって取得された前記機種情報に基づいて、前記機器画像を前記表示部に表示させる、
ことを特徴とする請求項１から３のうちいずれか１項に記載のプログラム。
【請求項６】
無線通信路を介して売上データ処理装置と通信する通信手段と、
前記通信手段による前記売上データ処理装置との通信を介して、当該売上データ処理装置に格納されている設定データを取得する設定データ取得手段と、
前記設定データ取得手段によって取得された前記設定データを、前記売上データ処理装置の識別情報と対応付けてバックアップするバックアップ手段と、
店舗の選択を受け付ける受付手段と、
前記受付手段によって前記店舗の選択が受け付けられた際に、前記設定データがバックアップ済みであるか否か判別する判別手段と、
前記バックアップ手段によってバックアップされた設定データから前記店舗を識別可能な店舗識別画像を取得して、表示部に表示させる表示制御手段と、
を備え、
前記表示制御手段は、
前記判別手段によって、前記設定データがバックアップ済みであると判別された場合には、前記店舗識別画像を、前記売上データ処理装置を示す機器画像と共に表示部に表示させ、
前記判別手段によって、前記設定データがバックアップされていないと判別された場合には、前記設定データがバックアップされていないことを示す情報を表示部に表示させる、
ことを特徴とする管理端末。
【請求項７】
携帯端末が、
無線通信路を介して売上データ処理装置と通信し、
前記売上データ処理装置との通信を介して、当該売上データ処理装置に格納されている設定データを取得し、
取得された前記設定データを、前記売上データ処理装置の識別情報と対応付けてバックアップし、
店舗の選択を受け付け、
前記店舗の選択が受け付けられた際に、前記設定データがバックアップ済みであるか否か判別し、
バックアップされた前記設定データから前記店舗を識別可能な店舗識別画像を取得して、表示部に表示させる、
工程を含み、
前記設定データがバックアップ済みであると判別された場合には、前記店舗識別画像を、前記売上データ処理装置を示す機器画像と共に表示部に表示させ、
前記設定データがバックアップされていないと判別された場合には、前記設定データがバックアップされていないことを示す情報を表示部に表示させる、
ことを特徴とする売上データ処理装置の管理方法。